(57)【要約】【課題】電子機器への取付を容易に行って、防水性を確保することができると共にＥＭＩ対策を適正に行うことを可能にする。【解決手段】本発明のコネクタ２０は、筐体５内で電気及び電子機器に一端が接続されるケーブル４の他端に接続され、筐体５の貫通穴５ａに挿通されて筐体５内から外部に突出して取付けられる。ケーブル４の他端に接続されて貫通穴５ａから外部へ突出して筐体５に固定され、ノック機構２０ｊを有する筐体側コネクタ２０ａと、筐体５から外部へ突出した筐体側コネクタ２０ａに接続し、この接続状態でノック機構２０ｊに係合するノック機構２０ｉと、このノック機構２０ｉがノック機構２０ｊに係合された状態でノック機構２０ｉを筺体５外で被覆する傘型カバー部２０ｇを有する外部側コネクタ２０ｂとを備えて構成した。【選択図】図１
2013041684.tif 000002
【特許請求の範囲】
【請求項１】
筐体内で電気及び電子機器に一端が接続されるケーブルの他端に接続され、筐体の貫通穴に挿通されて筐体内から外部に突出して取付けられるコネクタにおいて、
前記ケーブルの他端に接続されて前記貫通穴から外部へ突出して前記筐体に固定される第１係合手段と、
前記第１係合手段に係合された第２係合手段と、
前記第２係合手段を被覆する被覆手段と
を有することを特徴とするコネクタ。
【請求項２】
前記被覆手段は、前記筐体との当接面に弾性部材による防水部材が固着されていることを特徴とする請求項１に記載のコネクタ。
【請求項３】
前記筐体は、前記被覆手段の当接面に弾性部材による防水部材が固着されていることを特徴とする請求項１に記載のコネクタ。
【請求項４】
前記被覆手段は、当該被覆手段が前記筐体に固定された状態にあって当該筐体と概略平行状態に周回するベローズを備えることを特徴とする請求項１に記載のコネクタ。
【請求項５】
前記第１及び第２係合手段は、それぞれ押圧した際に互いにロックして係合する機構を有することを特徴とする請求項１記載のコネクタ。
【発明の詳細な説明】
【技術分野】
【０００１】
本発明は、通信基地局等の電子機器の筐体内部で環状のフェライトコアに挿通されたケーブルに接続され、電子機器の筐体に貫通穴を介して外部に突出して取付けられる、コネクタに関する。
【背景技術】
【０００２】
近年、電気や電子機器の更なる増加によって電磁環境が悪化し、電子機器の誤動作が危惧されている。電子機器内部で発生した電磁ノイズは、電源ケーブル、コネクタケーブルなどの電気接続用のケーブルを通して外部に伝導又は輻射する。このノイズの発生によるＥＭＩ(Electromagnetic Interference：電波障害)の対策として、電子機器内部でケーブルに環状フェライトコアを挿通してノイズを抑制することが行われている。
【０００３】
予め環状フェライトコアが挿通され、両端にコネクタが接続されたケーブルを電子機器の筐体内部に導入する場合、筐体に形成された貫通穴からケーブル及び環状フェライトコアを挿通する方法があるが、一般的に貫通穴よりも環状フェライトコアの方がサイズが大きいのでそのままでは環状フェライトコアを内部へ導入できない場合が多い。
【０００４】
そこで、図１０に示すように、まず、先端部にコネクタ（先端コネクタという）１が接続され、後端部に筐体側コネクタ２がフランジ３を介して接続されたケーブル４を、先端コネクタ１の方から電子機器筐体５の内外を貫通する貫通穴５ａに挿通して電子機器内部へ導く。但し、先端コネクタ１は、電子機器内部の信号や電源などの接続コネクタに接続されるものであり、筐体側コネクタ２は金属製の筐体５の貫通穴５ａの周囲壁面にフランジ３を介して取付けられるものである。
【０００５】
次に、その内部に導かれたケーブル４に、環状フェライトコアを２分割した形状の割コア６ａ，６ｂを挿通状態に組み合わせて取付ける。このようにして、貫通穴５ａよりも大きい環状フェライトコア６ａ，６ｂを筐体５の内部へ導入している。
【０００６】
この他、図１１に示すように、先端コネクタ１が未接続のケーブル４の先端を貫通穴５ａから内部へ挿通し、この挿通されたケーブル４の先端から環状フェライトコア７を差込み、この後に先端コネクタ１をケーブル４の先端に半田付けで接続する方法もある。
【０００７】
更には、図１２に示すように、予め環状フェライトコア７が挿通されたケーブル９の後端部に接続されている筐体側コネクタ８ａを、貫通穴５ａから差し込んで外部へ突出させて筐体５に固定し、この固定された筐体側コネクタ８ａに外部側コネクタ８ｂを差し込んで嵌合し電気的に接続する方法もある。この種のフェライトコアをケーブルに挿通した構成として特許文献１に記載のものがある。
【先行技術文献】
【特許文献】
【０００８】
【特許文献１】特開平１１−７８３６号公報
【発明の概要】
【発明が解決しようとする課題】
【０００９】
しかしながら、上述した図１０に示した従来構成では割コア６ａ，６ｂを用いるが、この割コア６ａ，６ｂによる環状フェライトコアはノイズ抑制能力が低いので適正なＥＭＩ対策が出来ないという問題がある。
【００１０】
図１１に示した従来構成は、ケーブル４の先端を貫通穴５ａから電子機器内部へ挿通した後、ケーブル４の先端に先端コネクタ１を半田付けするが、この作業を電子機器内部で行わなければならないので作業性が悪く作業工数が掛かるという問題がある。
【００１１】
図１２に示した従来構成は次のような問題がある。電子機器が例えば通信基地局であって、この通信基地局が屋外で、図１３に示すように筐体側コネクタ８ａ及び外部側コネクタ８ｂを上向きに設置されているとする。この場合、筐体側コネクタ８ａと筐体５の内壁との間には防水のためＯリング１０が介在されるので、外部側コネクタ８ｂと筐体５との隙間から雨水１１が入った場合、その雨水１１はＯリング１０で止まり筐体５内部へは入らない。しかし、Ｏリング１０から外部方向へ向かう隙間、即ち、筐体５と各コネクタ８ａ，コネクタ８ｂとの隙間に雨水１１が溜まるため、筐体５が腐食して結果的に内部へ雨水１１が入ってしまう。つまり、防水性の確保が難しいという問題がある。
【００１２】
本発明は上記した課題を解決するためになされたものであり、電子機器への取付を容易に行って、防水性を確保することができると共にＥＭＩ対策を適正に行うことができる、コネクタを提供することを目的とする。
【課題を解決するための手段】
【００１３】
上記した課題を解決するために本発明は、筐体内で電気及び電子機器に一端が接続されるケーブルの他端に接続され、筐体の貫通穴に挿通されて筐体内から外部に突出して取付けられるコネクタにおいて、前記ケーブルの他端に接続されて前記貫通穴から外部へ突出して前記筐体に固定される第１係合手段と、前記第１係合手段に係合された第２係合手段と、前記第２係合手段を被覆する被覆手段とを有することを特徴とする。
【００１４】
本発明において、前記被覆手段は、前記筐体との当接面に弾性部材による防水部材が固着されていることを特徴とする。
【００１５】
本発明において、前記筐体は、前記被覆手段の当接面に弾性部材による防水部材が固着されていることを特徴とする。
【００１６】
本発明において、前記被覆手段は、当該被覆手段が前記筐体に固定された状態にあって当該筐体と概略平行状態に周回するベローズを備えることを特徴とする。
【００１７】
本発明において、前記第１及び第２係合手段は、それぞれ押圧した際に互いにロックして係合する機構を有することを特徴とする。
【発明の効果】
【００１８】
本発明によれば、電子機器への取付を容易に行って、防水性を確保することができると共にＥＭＩ対策を適正に行うことができるコネクタを提供することができる。
【図面の簡単な説明】
【００１９】
【図１】本実施形態に係るコネクタの分解構成を示す斜視図である。
【図２】本実施形態のコネクタの分解構成を示す断面図である。
【図３】本実施形態のコネクタにおける筐体側コネクタのノック機構の構成を示し、（ａ）は断面図、（ｂ）は端面側から見た図である。
【図４】本実施形態のコネクタにおける外部側コネクタのノック機構の構成を示し、（ａ）は断面図、（ｂ）は端面側から見た図である。
【図５】本実施形態のコネクタを筐体に取り付けた状態の構成を示す断面図である。
【図６】（ａ）〜（ｄ）本実施形態のコネクタにおける筐体側コネクタに外部側コネクタを差し込む際のノック機構の連結状態を示す図である。
【図７】本実施形態のコネクタにおける筐体側コネクタ及び外部側コネクタが上向きに設置されている状態を示す断面図である。
【図８】ベローズを有する外部側コネクタの構成を示す斜視図である。
【図９】本実施形態のコネクタにおける筐体側コネクタの内壁面に傾斜がある際にベローズを有する外部側コネクタを取り付けた構成を示す断面図である。
【図１０】従来のフェライトコアとして割コアを用いた際のコネクタの取り付け構成を示す斜視図である。
【図１１】先端コネクタ未接続のケーブルに接続されたコネクタを筺体に取り付けた構成を示す斜視図である。
【図１２】環状フェライトコアが挿通されたケーブルに接続された筐体側コネクタ及び外部側コネクタを筺体に取り付けた構成を示す断面図である。
【図１３】従来の筐体側コネクタ及び外部側コネクタが上向きに設置されている状態を示す断面図である。
【発明を実施するための形態】
【００２０】
以下、添付図面を参照して本発明を実施するための実施の形態（以下、単に本実施形態という）について詳細に説明する。
（本実施形態の構成）
図１は、本実施形態に係るコネクタ２０の構成を示す斜視図である。本実施形態に係るコネクタ２０は、電気及び電子機器の筐体５の内部側から貫通穴５ａに挿通されて外部側へ突出し、筐体５に固定される筐体側コネクタ２０ａと、筐体５の外部側に突き出た筐体側コネクタ２０ａに外部側から差し込まれて電気的に接続される外部側コネクタ２０ｂとを備えて構成されている。
【００２１】
筐体側コネクタ２０ａは、電気的な接続部分を有するコネクタ部２０ｃと、コネクタ部２０ｃの一端に固定された板状のフランジ部２０ｄとを備え、フランジ部２０ｄには四隅部分にネジ穴２０ｅが形成されている。これらネジ穴２０ｅは、筐体５の貫通穴５ａの周囲に形成された４つのネジ穴５ｂと対向する位置に形成されている。また、筐体側コネクタ２０ａにはフランジ部２０ｄを介して、電気接続用のケーブル４の一端が電気的に接続されており、ケーブル４の他端には電子機器内部の信号や電源などの接続コネクタに接続されるコネクタ（先端コネクタという）１が接続されている。また、ケーブル４には、電子機器内部で発生してケーブル４で伝送される電磁ノイズをＥＭＩの基準値未満に抑制する環状フェライトコア７が挿通されている。この環状フェライトコア７の外径サイズは、貫通穴５ａよりも大きいことを前提とする。
【００２２】
外部側コネクタ２０ｂは、図示せぬ電源や他の電子機器に接続されるケーブル２１に電気的に接続されたコネクタ部２０ｆと、このコネクタ部２０ｆを傘内に収容する傘型カバー部２０ｇとを備えて構成されている。傘型カバー部２０ｇの周回端面にはＯリングやシリコーンゴム等のように柔軟性の有る防水部材２０ｈが固着されている。コネクタ部２０ｆは、図２の断面図に示すように、傘型カバー部２０ｇの内側においてノック機構２０ｉを備える。
【００２３】
筐体側コネクタ２０ａのコネクタ部２０ｃは、この内部にノック機構２０ｊを備える。また、コネクタ部２０ｃは、先端面に電気的に接続を行う金属製のピン２０ｋを４本備える。更に詳細には、コネクタ部２０ｃは、図３（ａ）の断面図及び（ｂ）のコネクタ部２０ｃを矢印Ｙ１で示す端面側から見た図に示すように、円筒状を成し、この内部でノック機構２０ｊを構成する円環形状部品２０ｍがバネ部２０ｎと連結されており、その円環形状部品２０ｍを端面側からバネ部２０ｎのバネ力に対向して押し込むと、バネ力に反発する反作用力が働くようになっている。また、円環形状部品２０ｍの端面は鋸歯状になっている。更に円環形状部品２０ｍとコネクタ部２０ｃとの間の円環状の隙間には、円環に沿って複数の隙間２０ｑを有するガイド部２０ｐが介在されている。
【００２４】
外部側コネクタ２０ｂのコネクタ部２０ｆは、図４（ａ）の断面図及び（ｂ）のコネクタ部２０ｆを矢印Ｙ２で示す端面側から見た図に示すように、円筒状を成し、ノック機構２０ｉを構成する円環形状部品２０ｒが矢印Ｙ３で示すように回動自在にコネクタ部２０ｆの外周側に取付けられている。これはコネクタ部２０ｆをシャープペンシルのようにノックすると円環形状部品２０ｒが矢印Ｙ３方向（時計回り方向）に回転するようになっている。
【００２５】
円環形状部品２０ｒの外周面には、筐体側コネクタ２０ａのガイド部２０ｐの隙間２０ｑに嵌合する４つの突起部２０ｔが設けられている。また、円環形状部品２０ｒの端面は、筐体側コネクタ２０ａの円環形状部品２０ｍの鋸歯状の端面と噛合う鋸歯状となっている。更に、コネクタ部２０ｆの端面側には、筐体側コネクタ２０ａの各ピン２０ｋが挿入されて電気的に接続するための４つのピン穴２０ｓが、各ピン２０ｋの対向位置に形成されている。
（本実施形態の動作）
以下、本実施形態に係るコネクタ２０の接続動作について、図５及び図６を参照しながら詳細に説明する。
【００２６】
最初に、図５に示すように、筐体５の内側から筐体側コネクタ２０ａを貫通穴５ａに差し込んでフランジ部２０ｄのネジ穴２０ｅを筐体５のネジ穴５ｂに合わせ、これらネジ穴２０ｅ，５ｂに図示せぬネジを螺合して筐体側コネクタ２０ａを筐体５に固定する。
【００２７】
次に、図６（ａ）に示すように、筐体側コネクタ２０ａの端面に、外部側コネクタ２０ｂの端面を対向状態に合わせる。この際、ピン２０ｋとピン２０ｋとが対向状態となるようにする。この状態で、外部側コネクタ２０ｂを、筐体側コネクタ２０ａのバネ部２０ｎのバネ力に対向してノック状に押圧すると、外部側コネクタ２０ｂの円環形状部品２０ｒが回転する。この回転により、図６（ｂ）に示すように、円環形状部品２０ｒと円環形状部品２０ｍとの鋸状の端面同士が噛合いながら、ピン穴２０ｓにピン２０ｋが差し込まれる。更に円環形状部品２０ｒがバネ力に対向しながら回転すると、図６（ｃ）に示すように、外部側コネクタ２０ｂの突起部２０ｔが筐体側コネクタ２０ａの隙間２０ｑに嵌合してロックする。
【００２８】
これによって、図５に示すように、外部側コネクタ２０ｂが筐体側コネクタ２０ａに電気的に接続されて固定される。この際、外部側コネクタ２０ｂの傘型カバー部２０ｇの周回端面の防水部材２０ｈが筐体５の外壁に密着するので、外部側コネクタ２０ｂと筐体５との隙間が無くなり、雨水などの水が筐体５の内部に入ることはない。
【００２９】
また、外部側コネクタ２０ｂが筐体側コネクタ２０ａに固定された状態から、図６（ｄ）に示すように、外部側コネクタ２０ｂをバネ力に対向してノック状に押し込むと、円環形状部品２０ｒが矢印Ｙ３方向に若干回転して、バネ力で隙間２０ｑから突起部２０ｔが抜けてロックが外れ、ピン２０ｋがピン穴２０ｓから抜ける。これにより外部側コネクタ２０ｂがロックの無い取外し可能な状態となる。
【００３０】
ここで、防水部材２０ｈは外部側コネクタ２０ｂを筐体側コネクタ２０ａに固定した状態から取り外す際に、更にノック状に押し込み可能としなければならないので、取付け時の防水性を保持可能で尚且つ更なるノックが可能な厚みとする必要がある。
（実施形態の効果）
以上説明のように本実施形態に係るコネクタ２０は、筐体５内で電気及び電子機器に一端が電気的に接続されるケーブル４の他端に接続され、筐体５の貫通穴５ａに挿通されて筐体５内から外部に突出して取付けられる。本実施形態の特徴は、ケーブル４の他端に接続されて貫通穴５ａから外部へ突出して筐体５に固定され、第１係合手段としてのノック機構２０ｊを有する筐体側コネクタ（第１コネクタ）２０ａと、筐体５から外部へ突出した筐体側コネクタ２０ａに電気的に接続し、この接続状態でノック機構２０ｊに係合する第２係合手段としてのノック機構２０ｉと、このノック機構２０ｉがノック機構２０ｊに係合された状態でノック機構２０ｉを筺体５外で被覆する被覆手段としての傘型カバー部２０ｇを有する外部側コネクタ（第２コネクタ）２０ｂとを備えて構成したことにある。
【００３１】
この構成によれば、筐体５に筐体側コネクタ２０ａを内部から外部へ突出させて固定した後、突出した筐体側コネクタ２０ａに外部側コネクタ２０ｂを差し込んで電気的に接続し、この際、筐体側コネクタ２０ａのノック機構２０ｊに、外部側コネクタ２０ｂのノック機構２０ｉが係合するので、電子機器筐体５へのコネクタ２０の取り付けを容易に行うことができる。
【００３２】
更に説明すると、筐体５内においてケーブル４に挿通される環状フェライトコア７の外径サイズが筐体５の貫通穴５ａよりも大きい場合でも、環状フェライトコア７を貫通穴５ａに通さなくても、予め環状フェライトコア７をケーブル４に挿通しておき、この状態で筐体５内に環状フェライトコア７及びケーブル４を容易に収容することができる。更に、そのケーブル４に接続された筐体側コネクタ２０ａを筐体５に外部へ突出させて固定し、この固定された筐体側コネクタ２０ａに外部から外部側コネクタ２０ｂを係合させればよいので、筐体５へのコネクタ２０の取り付けを容易に行うことができる。
【００３３】
また、環状フェライトコア７は、電子機器内部で発生してケーブル４で伝送される電磁ノイズをＥＭＩの基準値未満に抑制するタイプのものなので、ＥＭＩ対策は適正に行われている。
【００３４】
更に、ノック機構２０ｊ，２０ｉは、ノック機構２０ｉをノック機構２０ｊに向かってノック状に押圧した際にノック機構２０ｊにロックして係合し、この係合状態から更にノック機構２０ｉをノック状に押圧した際にロックが解除される機構となっている。従って、筐体側コネクタ２０ａに外部側コネクタ２０ｂを取り付ける際に容易に行うことができる。
【００３５】
更には、外部側コネクタ２０ｂの傘型カバー部２０ｇは、筐体５との当接面に弾性部材による防水部材２０ｈが固着されているので、筐体側コネクタ２０ａに外部側コネクタ２０ｂを取り付けた際に、傘型カバー部２０ｇの防水部材２０ｈが筐体５の外壁に固着して隙間が無くなり、これによって雨水等の水が傘型カバー部２０ｇの内部に入ることを防止することができる。
【００３６】
ここで、電子機器が例えば通信基地局であって、この通信基地局が屋外に、図７に示すように筐体側コネクタ２０ａ及び外部側コネクタ２０ｂが上向きに設置されているとする。この場合、外部側コネクタ２０ｂと筐体５の外壁との間には防水部材２０ｈが介在されるので、この防水部材２０ｈと外壁との間に隙間が無くなり、雨水が入ることが無くなる。
【００３７】
この防水部材２０ｈに関しては、筐体５の傘型カバー部２０ｇの周回端面の当接面に防水部材２０ｈを固着しても、同様の防水効果を得ることができる。
【００３８】
この他、図８に示すように、外部側コネクタ２０ｂに蛇腹状のベローズ３０を備えても良い。ベローズ３０は、外部側コネクタ２０ｂの傘型カバー部２０ｇが筐体５に固定された状態にあって、筐体５と概略平行状態に周回する状態に傘型カバー部２０ｇの途中位置に設けられる。
【００３９】
このようにベローズ３０が設けられた外部側コネクタ２０ｂを用いた場合、図９に示すように、例えば筐体５の内壁に角度θ１の傾斜がついており、この内壁に筐体側コネクタ２０ａのフランジ２０ｄが固定されたとする。この場合、筐体側コネクタ２０ａの筐体５の外側に突き出るコネクタ部２０ｃは、筐体５の外壁面に対して斜めに突き出ることになる。
【００４０】
ここで、このようなコネクタ部２０ｃにベローズ３０の無い外部側コネクタ２０ｂを差し込んで係合させた場合、傘型カバー部２０ｇの周回端面の防水部材２０ｈが外壁面に対して斜めになるので、外壁面と防水部材２０ｈとの間に隙間が生じ水が入ることになる。
【００４１】
しかし、ベローズ３０付の外部側コネクタ２０ｂを用いれば、ベローズ３０でその外部側コネクタ２０ｂの傾斜を吸収することができるので、防水部材２０ｈは外壁面に密着して付くことになる。これによって隙間は生じないので前述同様の防水効果を得ることが出来る。
【００４２】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。例えば電気自動車の充電ケーブル等への転用も可能である。
【符号の説明】
【００４３】
１・・先端コネクタ、４，２１・・ケーブル、５・・筐体、５ａ・・貫通穴、５ｂ，２０ｅ・・ネジ穴、７・・環状フェライトコア、２０ａ・・筐体側コネクタ、２０ｂ・・外部側コネクタ、２０ｃ，２０ｆ・・コネクタ部、２０ｄ・・フランジ部、２０ｇ・・傘型カバー部、２０ｈ・・防水部材、２０ｇ・・傘型カバー部、２０ｊ，２０ｉ・・ノック機構、２０ｋ・・ピン、２０ｍ，２０ｒ・・円環形状部品、２０ｎ・・バネ部、２０ｑ・・隙間、２０ｐ・・ガイド部、２０ｔ・・突起部、２０ｓ・・ピン穴、３０・・ベローズ３０
【図１】
2013041684.tif 000003
【図２】
2013041684.tif 000004
【図３】
2013041684.tif 000005
【図４】
2013041684.tif 000006
【図５】
2013041684.tif 000007
【図６】
2013041684.tif 000008
【図７】
2013041684.tif 000009
【図８】
2013041684.tif 000010
【図９】
2013041684.tif 000011
【図１０】
2013041684.tif 000012
【図１１】
2013041684.tif 000013
【図１２】
2013041684.tif 000014
【図１３】
2013041684.tif 000015